(57)【要約】【課題】１０万を超える姓名の画数を集計した結果を元に、入力された姓名が示す傾向を数値にして出力する装置を提供する。【解決手段】姓名画数分析装置１は、１０万を超える姓名の画数を集計した結果得られた傾向を、各グループについて画数かつ五格ごとに記憶する、傾向記憶手段１０と、語の入力を受け付ける入力受付手段２０と、前記傾向記憶手段１０に記憶された傾向に基づいて、前記入力受付手段２０で入力を受け付けた姓名の傾向を数値にして出力する姓名傾向度出力手段３０を備える。【選択図】図１
2009217792.tif 000002
【特許請求の範囲】
【請求項１】
入力された姓名が示す傾向度を数値にして出力する姓名画数分析装置。
【請求項２】
請求項１において、傾向度は各グループにおいて、そのグループの画数出現率から一般姓名の画数出現率を引いた値によって決まる格ごとの傾向を、すべての格について足し合わせたものである、姓名画数分析装置。
【発明の詳細な説明】
【技術分野】
【０００１】  本発明は、入力された姓名が示す傾向を数値にして出力する、姓名画数分析装置に関するものである。
【背景技術】
【０００２】  従来、姓名画数分析では、５・６・１１・１３・１５・１６・２１・２３・２４・２９・３１・３２は良い画数、４・９・１０・１２・１４・１９・２０・２２・２６・２８・３４は悪い画数とするなど、画数に吉凶を割り当てることで姓名の持つ吉凶を決定していた。
【発明の開示】
【発明が解決しようとする課題】
【０００３】  しかし、従来の姓名画数分析では、画数と吉凶との関連付けの根拠は明らかにされていなかった。そこで本発明は、画数のもつ傾向を統計的に裏付け、入力された姓名が示す傾向を数値にして出力する装置を提供することを目的とする。
【課題を解決するための手段】
【０００４】  前記目的を達成するために、本発明の、入力された姓名が示す傾向を数値にして出力する装置は、１０万を超える姓名の画数を集計した結果得られた傾向を、各グループについて画数かつ天格（姓の画数の合計）、人格（姓の画数の末尾と名の先頭の画数を足したもの）、地格（名の画数の合計）、外格（総格から人格をひいたもの）、総格（姓名の画数の合計）の五格ごとに記憶する、傾向記憶手段と、語の入力を受け付ける入力受付手段と、前記傾向記憶手段に記憶された傾向に基づいて、前記入力受付手段で入力を受け付けた姓名の傾向を数値にして出力する姓名傾向度出力手段を備える。【０００５】  ここで、「傾向」は、入力された姓名の画数が、たとえば「医師のグループの名前」に多く見られる画数であれば「医師的な名前」、「弁護士のグループの名前」に多く見られる画数であれば「弁護士的な名前」など、統計結果から得られたグループごとの画数の特徴への偏り方のことをいう。「傾向」は、そのグループの画数出現率から一般姓名の画数出現率を引いた値によって決まる。五格について画数出現率の差を求め、その合計の値がプラスであればそのグループへの傾向が強く、マイナスであれば弱いと判定できる。
【発明の効果】
【０００６】  以上のように、本発明の姓名画数分析装置によれば、傾向記憶手段には、五格の画数かつグループごとの傾向が記憶されているので、これを用いれば、所定の姓名について、その姓名の五格それぞれに傾向を当てはめることで、姓名全体から導かれる傾向を数値によって表現することができる。
【発明を実施するための最良の形態】
【０００７】  以下、本発明の実施形態を図面にしたがって説明する。
図１に、本発明の実施形態にかかる姓名画数分析装置１を示す。この姓名画数分析装置１は、入力された姓名が示す傾向を数値にして出力する装置であり、たとえばハードウェア、キーボード、マウスおよびディスプレイなどの周辺機器が設けられたパーソナルコンピューターに、所定のソフトウェアがインストールされて実現されている。【０００８】  姓名画数分析装置１は、以下の傾向記憶手段１０、入力受付手段２０および姓名傾向度出力手段３０を備える。傾向記憶手段１０は、傾向、すなわち、そのグループの画数出現率（％）から一般姓名の画数出現率（％）をひいた値を、各グループについて画数かつ格ごとに記憶する。【０００９】  ここで、グループには「資産家」、「政治家」、「会社社長」、「医師」、「弁護士」、「大学教授・理系」、「大学教授・文系」、「芸術家」、「作家」、「音楽家」、「スポーツ選手」、「俳優」、「歌手・タレント」、「物語の登場人物」、「犯罪者」、「事故死者」などが含まれる。【００１０】  図２に、傾向記憶手段１０の詳細を示す。傾向記憶手段１０は、各グループについて格ごとに傾向を記憶する傾向記憶部１１を有する。例えば「資産家グループ」、「天格」で「画数５」で傾向は０．２５、「画数１０」では５．１９となる。【００１１】  図１に戻って、入力受付手段２０は、姓名の入力を受け付けるものである。
姓名傾向度出力手段３０は、五格画数算出部３１、五格傾向算出部３２、傾向度出力部３３を有する。五格画数算出部３１は入力された姓名から五格の画数を求める。五格傾向算出部３２は、傾向記憶手段１０に記憶された各グループについての画数かつ格ごとの傾向により、五格画数算出部３１により求めた五格の画数における傾向を各グループについて求める。傾向度出力部３３は、各グループについて五格の傾向の合計値、すなわち傾向度を求め出力する。【００１２】  次に、本発明にかかる装置の動作について、具体的に説明する。
まず、図３に示す入力受付画面４０を表示手段（図示せず）に表示させ、操作者に語の入力を促す。入力受付画面４０は、「統計的姓名画数分析」のような文からなるタイトル欄４１、記入部４２および分析ボタン４３を有する。記入部４２には、「姓と名をスペースで区切って入力」のように、記入方法を示唆する語が表示され、語記入用枠４２ａが設けられている。【００１３】  入力受付画面を見る操作者にとって、この姓名記入用の枠４２ａ内に、たとえば「山田  一太」と入力され、分析開始ボタン４３が選択されると、図１の五格画数算出部３１が、入力後「山田  一太」の五格の画数を求める。この例では、天格は「山田」で８画、人格は「田一」で６画、地格は「一太」で５画、外格は「山太」で７画、総格は「山田一太」で１３画となる。【００１４】  次に、図１の五格傾向算出部３２が傾向記憶手段１０に記憶された各グループについての画数かつ格ごとの傾向により、五格画数算出部３１により求めた五格の画数における傾向を各グループについて求める。具体的には五格それぞれの画数を、図２の傾向記憶手段１０の傾向記憶部１１から読み出す。例えば、グループ「資産家」、「政治家」、「作家」について読み出した傾向は、図４の傾向欄５１に示すとおりである。【００１５】  次に、図１の傾向度出力部３３が、各グループについて傾向度を求め出力する。具体的には、五格の傾向を足し合わせたものを出力する。この結果、各グループについて、プラスの値が大きければ一般の名前に比べてそのグループの特徴を強く持つ名前、マイナスの方向であればそのグループとは縁の薄い名前であると判定することができる。つまり、入力姓名「山田  一太」の各グループの傾向が数字によって表現されているといえる。傾向度出力部３３は、また、図５に示す結果出力画面５０を表示手段（図示せず）に表示する。結果出力画面５０は、「分析結果」のような文からなるタイトル欄５１、五格情報表示部５２、および結果表示部５３を有する。五格情報表示部５２には、五格の画数の他に五格の内容を表示する。結果表示部５３には、各グループの傾向度が表示されるとともに、この値に相当する棒グラフが表示され、傾向度に応じて「非常に弱い」、「弱い」、「やや弱い」、「一般的」、「やや強い」、「強い」、「非常に強い」などと分類されるため、この結果表示出力画面５０を見る操作者には見やすいものとなっている。また、この結果表示出力画面５０を見る操作者には、例えば入力姓名「山田  一太」の場合、「作家」というグループの傾向が非常に強いことが明確に示されるので、「作家」というグループに、この「山田  一太」という姓名が有利であることが、客観的な大きさで示されている。【００１６】  傾向度の強さについては、傾向度がどの程度の値をとるのか、１５のグループについて５０００人の一般姓名を計算した結果、グループによって若干の違いは見られるものの、９９％以上の人の名前が−６．０〜＋６．０の間に含まれていることが分かった。また、−１．０〜＋１．０の範囲に３４％（約３人に１人）が含まれ、全体の分布から、概ね次のようにランク分けすることとした。−３．１以下は「非常に弱い」、−３．０〜−２．１は「弱い」、−２．０〜−１．１は「やや弱い」、−１．０〜＋１．０は「一般的」、＋１．１〜＋２．０は「やや強い」、＋２．１〜＋３．０は「強い」、＋３．１以上は「非常に強い」。【００１７】  本実施形態で示したように、本装置は、姓名の傾向を数値にして出力するのに特に有利である。
【図面の簡単な説明】
【００１８】
【図１】本発明の一実施形態にかかる姓名画数分析装置を示すブロック図である。
【図２】図１の装置の傾向記憶手段の詳細を示す図である。
【図３】図１の装置の入力受付画面を示す図である。
【図４】各グループの五格の傾向を示す図である。
【図５】図１の装置の結果出力画面を示す図である。
【符号の説明】
【００１９】１      姓名画数分析装置
１０    傾向記憶手段
１１    傾向記憶部
２０    入力受付手段
３０    姓名傾向度出力手段
３１    五格画数算出部
３２    五格傾向算出部
３３    傾向度出力部
４０    入力受付画面
４１    タイトル欄
４２    記入部
４２ａ  語記入用枠
４３    分析ボタン
５０    結果出力画面
５１    タイトル欄
５２    五格情報表示部
５３    結果表示部
【図１】
2009217792.tif 000003
【図２】
2009217792.tif 000004
【図３】
2009217792.tif 000005
【図４】
2009217792.tif 000006
【図５】
2009217792.tif 000007